(57)【要約】【課題】除塵効率が低下しない回転速度でプリーツフィルタを回転させることができると共に、除塵時の洗浄空気によるプリーツフィルタの洗浄効率が低下しない電気掃除機を提供すること。【解決手段】前記制御手段（制御装置２００）は、前記プリーツフィルタ１０４の除塵時に前記電動送風機２４の吸込風量が中レベルになるように前記駆動電力を制御するようになっている。この構成によれば、除塵効率が低下しない回転速度でプリーツフィルタ１０４を回転させることができると共に、除塵時の洗浄空気によるプリーツフィルタ１０４の洗浄効率が低下するのを防止できる。【選択図】図３７
2008061900.tif 000002
【特許請求の範囲】
【請求項１】
メイン塵埃分離・捕集手段に吸込負圧を作用させる電動送風機と、前記電動送風機を駆動制御する制御手段と、前記電動送風機の駆動電力を切替操作して前記電動送風機への吸込風量を切り替え操作する入力切替操作手段と、前記メイン塵埃分離・捕集手段と前記電動送風機の吸込開口との間に設けられた収納室と、前記収納室に設けられるとともにその中心線を中心に回転駆動可能に気密に嵌合された円形のフィルタを有した濾過分離部と、前記濾過分離部を回転駆動する駆動手段と、前記フィルタの直上流に大気を洗浄風として導入する洗浄風導入口と、
通常掃除においては前記メイン塵埃分離・捕集手段及び前記濾過分離部を通過して前記電動送風機に吸引される第１流路を形成し、前記収納室の空気洗浄においては前記洗浄風導入口より導入された空気を前記濾過分離部を通過することなく前記電動送風機に吸引される第２流路を形成する気流制御手段とを備え、
前記制御手段は、前記塵埃濾過分離部の空気洗浄時に前記電動送風機の吸込風量が中レベルになるように前記駆動電力を制御することを特徴とする電気掃除機。
【発明の詳細な説明】
【技術分野】
【０００１】
この発明は、プリーツフィルタの除塵手段を設けた電気掃除機に関するものである。
【背景技術】
【０００２】
この種の電気掃除機では、電動送風機で発生させられる吸込負圧により、吸込風路に吸い込まれた空気がメイン塵埃分離・捕集手段，プリーツフィルタの順に透過して電動送風機の吸込開口へ流れるようにすると共に、電動送風機の停止時にプリーツフィルタの下流側をコードリールに連動する叩き部材等で叩くことにより、プリーツフィルタの上流側の面に付着した細塵を叩き落として、下方の細塵捕集室に捕集させるようにしたものが知られている（例えば、特許文献１参照）。
【特許文献１】特開２００４−２１６００９号公報
【発明の開示】
【発明が解決しようとする課題】
【０００３】
しかしながら、従来は、細塵捕集室に捕集した細塵は次の電動送風機の動作時にプリーツフィルタに付着するという問題があった。
【０００４】
これを解決するため、プリーツフィルタの除塵時に、吸込口体からメイン塵埃分離・捕集手段へ空気が吸い込まれないようにし、且つ、プリーツフィルタを介して電動送風機に空気が流れないようにすると共に、外気をプリーツフィルタの上流側に洗浄空気として吸い込んで、プリーツフィルタからたたき落とされた細塵を吸い込まれた洗浄空気の流れによりメイン塵埃分離・捕集手段に戻すことが考えられる。
【０００５】
この場合、洗浄空気の流れを形成するためには、プリーツフィルタから除塵した細塵をメイン塵埃分離・捕集手段に戻す戻し風路と、メイン塵埃分離・捕集手段から電動送風機の吸込開口へのバイパス風路を設ける必要がある。しかも、バイパス風路にバイパスフィルタを設ける必要がある。
【０００６】
一方、プリーツフィルタに付着した細塵を効率よく除塵するために、円形のフィルタ室を設け、放射状に延びるヒダが周方向に多数設けられた円形状のプリーツフィルタをフィルタ室にその中心線を中心に回転可能に気密に嵌合させ、このプリーツフィルタを中心線を中心に駆動モータで回転駆動可能に設けると共に、プリーツフィルタの回転駆動時にプリーツフィルタのヒダに順次係合してヒダを弾くことにより、プリーツフィルタに付着した細塵を除塵することも考えられる。
【０００７】
このような構成では、メイン塵埃分離・捕集手段，プリーツフィルタの順に透過して電動送風機の吸込開口へ流れる吸込メイン風路の流れを遮断すると共に、電動送風機の吸込負圧をバイパス風路，メイン塵埃分離・捕集手段，戻し風路を介してフィルタ室に作用させることにより、フィルタ室に吸い込まれる洗浄空気を戻し風路，メイン塵埃分離・捕集手段，バイパス風路を介して電動送風機に吸い込まれる流れを形成して、プリーツフィルタから除塵された細塵をメイン塵埃分離・捕集手段に捕集させることができる。
【０００８】
しかしながら、プリーツフィルタがフィルタ室に気密に嵌合しているために、プリーツフィルタの回転時にはプリーツフィルタと吸込室との間に摺動抵抗が生じると共に、この摺動抵抗はフィルタ室に作用する吸込負圧が増大するに従って大きくなる傾向にある。そして、摺動抵抗が大きくなるに従って、プリーツフィルタを回転駆動する駆動モータへの負荷も増大し、プリーツフィルタの回転速度が低下する傾向にある。
【０００９】
また、この摺動抵抗を小さくするために、フィルタ室に作用する吸込負圧を小さくすると、吸込室に吸い込まれる洗浄空気の流れが弱くなり、プリーツフィルタの洗浄効率が低下する傾向にある。
【００１０】
そこで、この発明は、除塵効率が低下しない回転速度でプリーツフィルタを回転させることができると共に、除塵時の洗浄空気によるプリーツフィルタの洗浄効率が低下しない電気掃除機を提供することを目的とするものである。
【課題を解決するための手段】
【００１１】
この目的を達成するため、この発明の電気掃除機は、メイン塵埃分離・捕集手段に吸込負圧を作用させる電動送風機と、前記電動送風機を駆動制御する制御手段と、前記電動送風機の駆動電力を切替操作して前記電動送風機への吸込風量を切り替え操作する入力切替操作手段と、前記メイン塵埃分離・捕集手段と前記電動送風機の吸込開口との間に設けられた収納室と、前記収納室に設けられるとともにその中心線を中心に回転駆動可能に気密に嵌合された円形のフィルタを有した濾過分離部と、前記濾過分離部を回転駆動する駆動手段と、前記フィルタの直上流に大気を洗浄風として導入する洗浄風導入口と、通常掃除においては前記メイン塵埃分離・捕集手段及び前記濾過分離部を通過して前記電動送風機に吸引される第１流路を形成し、前記収納室の空気洗浄においては前記洗浄風導入口より導入された空気を前記濾過分離部を通過することなく前記電動送風機に吸引される第２流路を形成する気流制御手段とを備え、前記制御手段は、前記塵埃濾過分離部の空気洗浄時に前記電動送風機の吸込風量が中レベルになるように前記駆動電力を制御する電気掃除機としたことを特徴とする。
【発明の効果】
【００１２】
この構成によれば、除塵効率が低下しない回転速度でプリーツフィルタを回転させることができると共に、除塵時の洗浄空気によるプリーツフィルタの洗浄効率が低下するのを防止できる。
【発明を実施するための最良の形態】
【００１３】
以下、この発明の実施の形態を図面に基づいて説明する。
【００１４】
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられている。この操作部１３Ａには、電動送風機２４の駆動を停止する切スイッチ１３ａ、電動送風機２４のパワーを「強」に設定する強スイッチ１３ｂ、押す毎に電動送風機２４のパワーを「弱」と「中」に切替設定する弱／中切替スイッチ１３ｃなどが設けられている。
【００１５】
吸込口体１５には、その底面に塵埃を吸引する図示しない吸込開口（塵埃吸込口）を形成した吸込室（図示せず）が形成されており、この吸込室は延長管１４と集塵ホース１２と接続口１１Ａを介して掃除機本体１１内に設けた集塵ユニット５０（図１０参照）の吸込接続口５７Ａに連通している。
【００１６】
掃除機本体１１は本体ケース２０を有する。この本体ケース２０の前側には、図２〜図４，図２７に示すように、上部開口２２Ａを有する集塵ユニット室（集塵ユニット配設用の凹所）２２が形成されている。
【００１７】
また、本体ケース２０の後部には、図２７に示したように送風機室２３が形成されている。この送風機室２３と集塵ユニット室２２は、図２７に示したように接続風路２５を有する隔壁２６により区画されている。この接続風路２５は、図１４，図２７に示したように前面開口２５Ｂを有する。
【００１８】
更に、本体ケース２０の上部には、集塵ユニット室２２の上方に配設した蓋ケース５００（図１参照）が開閉自在に取り付けられている。この蓋ケース５００により集塵ユニット室（収納室）２２とともに本体ケース２０の上部全体が覆われている。本体ケース２０は蓋ケース５００により密閉されないようになっている。
【００１９】
また、掃除機本体１１は、本体ケース２０の集塵ユニット室２２内に装着された集塵ユニット５０（図２、図２７参照）と、送風機室２３内に配設された電動送風機２４（図２７参照）とを備えている。この集塵ユニット室２２内には、後述する集塵容器４１０（図１１）をポップアップするポップアップ機構１０００（図７参照）が設けられている。
（蓋ケース取付構造）
また、図１に示すように蓋ケース５００の両側部の下部には斜め下方に延びた一対の脚部５０１が形成され、この脚部５０１の下部５０１Ａが本体ケース２０に設けた円筒車軸１７（図５参照）に回動可能に装着されるとともに、円筒車軸１７に取り付けられた後輪１６を覆っている。そして、図５に示すように円筒車軸１７内には捩りコイルバネ１８が装着され、捩りコイルバネ１８の一端は円筒車軸１７に固定され、捩りコイルバネ１８の他端１８Ａは脚部５０１（図１参照）に固定されており、この捩りコイルバネ１８は蓋ケース５００を円筒車軸１７を中心にして図１において時計回りに付勢している。
【００２０】
実際には、円筒車軸１７に回転体９００（図２参照）を回転自在に装着させ、この回転体９００のアーム部９０１の突起９０２（図１４参照）に捩りコイルバネ１８の他端１８Ａを係止させ、アーム部９０１を蓋ケース５００の脚部５０１内に係止させて、蓋ケース５００を時計回りに付勢するものである。
【００２１】
そして、蓋ケース５００は円筒車軸１７を中心にして時計回りに回動することにより蓋ケース５００が図１６の鎖線で示すように開成するようになっている。
【００２２】
蓋ケース５００の前側には、図６および図７に示すようにほぼ逆Ｌ字形の係合部材５１０が設けられている。
（フィルタ駆動機構）
また、本体ケース２０の電動送風機２４の前側（図１において左側）に前面開口２５Ｂ（図１４参照）を有する円筒状の接続風路部（接続風路）２５（図２７参照）が形成され、この接続風路部２５は電動送風機２４の吸込開口２４Ａに連通している。
【００２３】
接続風路部２５の前面開口２５Ｂには図１４に示すように円盤状の格子部材６００が回転板（回転盤、回転部材）として配設されている。この格子部材６００は、支持軸６００ａを介して回転自在に隔壁２６に図示を省略した位置で取り付けられている。また、この格子部材６００の周面には図示を省略したギヤが設けられ、このギヤにはピニオン６００ｂが噛合させられている。このピニオン６００ｂはモータＭ１により回転するようになっている。
【００２４】
この格子部材６００には、半径方向に放射状に延びる複数の板部６００Ａが周方向に等ピッチ（等間隔）で設けられている。しかも、板部６００Ａの半径方向の端部には、図１４Ａ〜図１４Ｃに示したようなスリット６００Ｂが半径方向に向けて形成されている。このスリット６００Ｂ内には、図１４Ａに示したような板状の突起（板状突起）６０１の基部６０１ａが図１４Ｃに示したように配設されている。
【００２５】
この基部６０１ａは半径方向の両端部のうち中心側がヒンジ部６０１ｂを介して板部６００Ａと一体に形成されている。これにより突起６０１は、板面に対して垂直方向及び板面に沿う方向にヒンジ部６０１ｂを介して移動変移可能に設けられている。また、突起６０１の半径方向両端部には、中心方向及び半径方向に傾斜する傾斜ガイド部６０１ｃ，６０１ｄが形成されている。
【００２６】
また、突起６０１は、図１４Ｄに示したように頂部６０１ｅの断面が円形に形成されている。
【００２７】
この突起６０１は後述するプリーツフィルタ（第２塵埃分離手段）１０４（図１３参照）の背面側（空気の流れの下流側）の谷部（ヒダ１０４ａ，１０４ａ間）に係合して、後述するプリーツフィルタ体１００を回転させていくようになっている。このプリーツフィルタ体１００を回転させることにより、後述する除塵機構２０００（図３１参照）の除塵手段２１００がプリーツフィルタ１０４に付着した細塵を落としていく。
【００２８】
更に、接続風路部２５内には、図２７に示すように、電動送風機２４の吸込開口２４Ａに連通した吸込管２７が設けられており、この吸込管２７の先端部には開口（吸込風路）２７Ａを開閉する第４開閉弁２８が設けられている。この第４開閉弁２８の開閉動作はモータＭ２（図３７参照）によって行われる。
（蓋ケースロック構造）
本体ケース２０の接続口１１Ａの上には、閉成された蓋ケース５００をロックするクランプ７００が設けられている。
【００２９】
このクランプ７００は、図７および図８に示すように、上面が曲面に形成された操作部７０１を有しており、この操作部７０１の後面７０１Ａの両側には後方（図７,８において右側）へ突出した支持板部７０２,７０２が形成され、この支持板部の外側面に軸部７０３,７０３が形成されている。
【００３０】
この軸部７０３,７０３は、図３に示すように本体ケース２０に設けた軸受部２７,２７に回動自在に保持されている。そして、クランプ７００は図示しないスプリングにより図７において軸部７０３を中心にして時計回りに付勢されている。クランプ７００は図示しない規制部材より図７に示す位置より時計回りに回動しないようになっている。
【００３１】
そして、クランプ７００は、操作部７０１が上から下方に押されると、図示しないスプリングの付勢力に抗して図７に示す位置から軸部７０３,７０３を中心にして図９に示すように反時計回りに回動するようになっている。
【００３２】
操作部７０１の前端には下方に延びた前壁部７０４が形成され、この前壁部７０４の下部には後方へ延びた押圧部７０５が形成されている。この押圧部７０５の後部には上方へ延びた支持部７０６が形成され、この支持部７０６の上部には係止爪７０７が形成されている。
【００３３】
この係止爪７０７は、図６および図７に示すように蓋ケース５００の係合部材５１０の先端部５１１に係合して、蓋ケース５００を本体ケース２０にロックするようになっている。
【００３４】
クランプ７００が時計回りに回動されると、図９に示すように、クランプ７００の係止爪７０７は蓋ケース５００の係合部材５１０の先端部５１１から外れ、蓋ケース５００のロックが解除される。
（集塵ユニット５０）
集塵ユニット５０は、図１０に示すように、塵埃分離ユニット４００と、この塵埃分離ユニット４００に着脱自在に装着される集塵容器４１０とを備えている。
【００３５】
塵埃分離ユニット４００は、塵埃分離部（第１塵埃分離手段）５２と、塵埃分離部５２と一体となっているフィルタ部８０とを備えている。この塵埃分離部５２と集塵容器４１０はメイン塵埃分離・捕集手段を構成している。
＜塵埃分離部５２＞
塵埃分離部５２は、図１０および図１２に示すように外周壁５３によって円筒状に形成された分離室部（上流風路）５４と、この分離室部５４内に分離室部５４の軸線に沿って設けられたほぼ円錐形状の塵埃分離手段５５と、分離室部５４の右側壁５４Ａの外側に設けた吸引風路部（案内風路）５６と、吸込接続口（吸込風路である塵埃吸込口）５７Ａから分離室部５４へ空気を案内する案内風路体５７とを有している。吸込接続口５７Ａは、塵埃分離ユニット４００が掃除機本体１１の集塵ユニット室２２に装着されると、掃除機本体１１の接続口１１Ａに連通されるようになっている。なお、吸引風路部５６は案内風路体５７の下に設けられている。
【００３６】
分離室部５４の外周壁５３の上部には、図１２に示すように、空気から分離された塵埃を集塵容器４１０へ導入する導入開口５３Ａが形成されている。また、図２３に示すように円弧面を形成している外周壁５３の下部側には戻し開口５３Ｄが形成されている。この戻し開口５３Ｄには第２開閉弁Ｋ２が開閉可能に設けられている。戻し開口５３Ｄには図２４および図２５に示すように戻り風路管２５１０の一端が接続されている。戻り風路管２５１０は戻り風路（細塵戻し風路）２５１１を形成している（図２１および図２２参照）。
【００３７】
第２開閉弁Ｋ２の一端に軸部ＫＪ１が形成され、図２４に示すように軸部ＫＪ１が分離室部５４の上流側に回動自在に軸支され、第２開閉弁Ｋ２の他端が分離室部５４の下流側に位置されている。そして、第２開閉弁Ｋ２は図２５に示すように軸部ＫＪ１を中心にして反時計回りに回動することにより開成する。
【００３８】
この第２開閉弁Ｋ２は、後述する接続開口５４Ａａから分離室部５４内へ導入される空気によって閉成され、戻り風路管２５１０から分離室部５４内へ戻される空気によって開成するようになっている。
【００３９】
案内風路体５７には、図２３に示すように分離室部５４に連通する接続開口５４Ａａが形成され、この接続開口５４Ａａには第１開閉弁Ｋ１が開閉可能に設けられている。そして、この第１開閉弁Ｋ１が実線位置に切り換えられると接続開口５４Ａａは閉成され、鎖線位置へ切り換えられると接続開口５４Ａａは開成されることになる。案内風路体５７から接続開口５４Ａａを介して分離室部５４内へ導入される空気は図１０において反時計回りに回転させるようになっている。
【００４０】
また、分離室部５４の右側壁５４Ａには、円形の開口１５４Ａ（図１０参照）と扇状の開口１５４Ｂ（図１２および図２４参照）とが形成され、開口１５４Ａには塵埃分離手段５５が取り付けられており、開口１５４ＢにはネットフィルタＮＦ２（図２４参照）が取り付けられている。
【００４１】
塵埃分離手段５５は、複数の枠５５ａと、この枠５５ａの周囲に貼り付けたネットフィルタＮＦ１とから構成されている。そして、吸引風路部５６は、右側壁５４Ａの開口１５４Ａ（図１０参照）およびネットフィルタＮＦ１（図１２参照）を介して分離室部５４内に連通し、また右側壁５４Ａの開口１５４ＢのネットフィルタＮＦ２（図示せず）を介して分離室部５４内に連通している。
【００４２】
吸引風路部５６の底部には、図１２に示すように開口５６Ｄが形成され、この開口５６Ｄにはフィルタ（プリーツフィルタ）ＰＦがバイパスフィルタとして取り付けられている。また、開口５６Ｄにはバイパス風路２５００（図２１参照）を形成するバイパス風路管２５０１の一端が図２６に示すように接続されている。
【００４３】
バイパス風路管２５０１の他端は図２７に示すように吸込管２７に接続されており、このバイパス風路管２５０１を介して吸引風路部５６と吸込管２７とが連通している。そして、バイパス風路管２５０１には第５開閉弁（電磁弁）２５０２が設けられている。
【００４４】
吸引風路部５６は、後述するフィルタ部８０の収納ケース（第２塵埃分離ケース）８１内に連通しているとともに、その右側壁部１５６（図１２参照）に形成した接続開口５６Ａを介して後述する集塵ケース部７４の集塵室（集塵部）７３に連通している。
【００４５】
集塵容器４１０は、図１１および図１２に示すように、上部に左右方向に延びた連通路７１を形成した連通ケース部７２と、この連通ケース部７２の右端部（図１２において）から下方に延びるとともに塵埃を集塵する集塵室７３を形成した集塵ケース部７４とを有している。
【００４６】
連通ケース部７２の下面には、図１１に示すように連通路７１（図１２参照）に連通する開口７２Ａと、フック７２Ｆと、凹部７３とが形成されている。凹部７３内には上下方向に延びたリブ７２Ｒが形成されている。開口７２Ａは図１２に示すように塵埃分離部５２の導入開口５３Ａに接続されている。
【００４７】
また、集塵ケース部７４の左側壁部７４Ａには接続開口７５が形成されており、この接続開口７５にはネットフィルタＮＦ３が取り付けられている。
【００４８】
また、集塵ケース部７４は開閉可能な蓋部７４Ａを有しており、図１１に示すように蓋部７４Ａの下部には下方に延びたリブ７４Ｒが形成されている。蓋部７４Ａは、軸線７４Ｊ回りに回動可能になっており、この回動によって開閉するものである。
【００４９】
そして、集塵容器４１０を塵埃分離ユニット４００に装着すると、図１２に示すように、集塵容器４１０の開口７２Ａに塵埃分離部５２の導入開口５３Ａが接続され、集塵容器４１０の接続開口７５が塵埃分離ユニット４００の吸込風路部５６の接続開口５６Ａに接続されるようになっている。
＜フィルタ部８０＞
フィルタ部８０は、図１３，図２７〜２９に示すように後面が開口する円筒状の収納ケース８１を有する。この収納ケース８１は、後筒部８１ａと、この後筒部８１ａより小径の前筒部８１ｂを有する。また、収納ケース８１内には図２７〜２９に示したように円形のフィルタ室８１ｃが形成され、フィルタ室８１ｃの内周面には筒部８１ａ，８１ｂ間に位置する円形の段差面８１ｄが形成されている。
【００５０】
また、フィルタ部８０は、図１３，図２７に示したプリーツフィルタ体（二次フィルタ）１００とを有している。このプリーツフィルタ体１００は、中央に設けられた軸部１０１Ａと、外周に設けられた円形（円筒形）のフィルタ枠１００ａと、軸部１０１Ａとフィルタ枠１００ａとの間に配設されたプリーツフィルタ１０４を有する。
【００５１】
このプリーツフィルタ１０４は、背面側からみたときに半径方向（放射方向）に延びる複数のヒダ１０４ａと、前側から見たときに半径方向（放射方向）に延びる複数のヒダ１０４ｂを有する。この複数の放射方向に延びるヒダ１０４ａ，１０４ｂは、フィルタ枠１００ａの周方向に波形状に配列されている。しかも、プリーツフィルタ１０４は、中心側がインサート成形により軸部１０１Ａに埋設固定され、周縁部がインサート成形によりフィルタ枠１００ａに埋設固定されている。
【００５２】
そして、フィルタ枠１００ａは、円形状のフィルタ室８１ｃの後部（後筒部８１ａ）内に回転自在に取り付けられ（嵌合され）ている。尚、図示は省略したがフィルタ枠１００ａは前端部が段差面８１ｄに近接配置されている。また、軸部１０１Ａは後述する軸２００１（図３１参照）に回転自在に装着されている。
【００５３】
更に、収納ケース８１の後端面には図１３に示したようにシールリング８１ｅが取り付けられている（図２１参照）。
【００５４】
また、収納ケース８１の前壁部８４の前面には塵埃分離部５２（図１０参照）が一体に形成されている。また、収納ケース８１の前壁部８４には、図１２および図１３に示すように接続開口８４Ａが形成され、この接続開口８４Ａが吸引風路部５６に接続されている。そして、その接続開口８４Ａを介して収納ケース８１内と吸引風路部５６とが連通している。
【００５５】
前壁部８４の上部には、図２９に示すように収納ケース８１内に外気を導入させる外気導入口（洗浄風導入風路）８４Ｆが形成され、前壁部８４の前面には図３０に示すように外気導入口８４Ｆを開閉する第６開閉弁Ｋ６が設けられている。この第６開閉弁Ｋ６は弾性部材８６により外気導入口８４Ｆを閉成する方向に付勢されている。
【００５６】
第６開閉弁Ｋ６には図２９に示す当接片８７が設けられており、この当接片８７が外気導入口８４Ｆから収納ケース８１内へ突出している。当接片８７には、右にいくにしたがって（図２９において）収納ケース８１内への突出量が大きくなる傾斜面８７ａが形成されている。そして、当接片８７を弾性部材８６の付勢力に抗して押圧すると、第６開閉弁Ｋ６は開成して外気導入口８４Ｆから収納ケース８１内に外気が導入されるようになっている。
【００５７】
また、図２８に示すように収納ケース８１の周壁部８２の底部に底部開口８２Ａが形成され、この底部開口８２Ａには戻り風路管２５１０の他端部が接続されている。この戻り風路管２５１０によってプリーツフィルタ体１００の上流側の収納ケース８１内と塵埃分離部５２の分離室部５４内とが連通されている（図２１参照）。
【００５８】
そして、本体ケース２０の集塵ユニット室２２に集塵ユニット５０を装着すると、収納ケース８１の後面開口８１Ｂが本体ケース２０の接続風路部２５の前面開口２５Ｂ（図１３，図１４参照）に接合される。
＜ポップアップ機構＞
このポップアップ機構１０００は、図７に示すように、集塵容器４１０をポップアップ（集塵容器４１０をスプリングにより上に持ち上げること）させる一対のポップアップ手段１１００,１１１０（図３参照）と、集塵容器４１０を塵埃分離ユニット４００の装着位置に固定するロック手段１２００と、このロック手段１２００のロックを解除させる解除手段１３００とを備えている。
【００５９】
ポップアップ手段１１００は、塵埃分離ユニット４００の塵埃分離部５２の外周壁５３の上面に設けられ且つ上方に延びるとともに断面が方形の筒状のガイドケース１１０１と、このガイドケース１１０１内に配置されたスプリング１１０２（図３において省略）とを有している。ガイドケース１１０１には上下方向に延びる一対のスリット１１０３（図３参照）が形成されている。
【００６０】
ポップアップ手段１１１０は、同様にして集塵ユニット室２２に設けられた筒状のガイドケース１１１１（図３参照）と、このガイドケース１１１１内に配置されたスプリング１１１２とを有している。ガイドケース１１１１には上下方向に延びる一対のスリット１１１３（図３参照）が形成されている。
【００６１】
そして、集塵容器４１０を塵埃分離ユニット４００に装着すると、集塵容器４１０のリブ７２Ｒ,７４Ｒ（図１１参照）がガイドケース１１０１,１１１１のスリット１１０３,１１１３に入り込んでスプリング１１０２,１１１２（図７参照）を付勢力に抗して圧縮させる。このスプリング１１０２,１１１２の付勢力によって集塵容器４１０を上方に付勢するものである。
【００６２】
ロック手段１２００は、案内風路体５７の上部に前後方向（図７において左右方向）に移動可能に設けられるとともに前後方向に延びたスライド部材１２０１と、このスライド部材１２０１を前後方向へガイドするとともに覆ったガイドカバー１２０２（図４参照）と、スライド部材１２０１を左方向（図７において）へ付勢するスプリング（図示せず）とを備えている。
【００６３】
スライド部材１２０１の後部側には、上方に突出した断面が矩形の筒部１２０３が形成され、この筒部１２０３がガイドカバー１２０２の開口１２０２Ａ（図３，図４参照）から突出している。筒部１２０３の前後方向の長さはその開口１２０２Ａの前後方向の幅より短く設定され、スライド部材１２０１の前後方向の移動に支障を来さないようになっている。
【００６４】
そして、筒部１２０３の上面には開口１２０４が形成され、集塵容器４１０を塵埃分離ユニット４００に装着すると、集塵容器４１０のフック７２Ｆがその開口１２０４に入り込んでその縁部（固定手段）１２０４ａに係合され、この係合により集塵容器４１０が図７に示す位置（装着位置）にロックされるようになっている。
（ロックの解除手段）
解除手段１３００は、スライド部材１２０１と、このスライド部材１２０１を右方（図７において）へ移動させるクランプ７００の押圧部７０５等とから構成される。そして、クランプ７００は操作部７０１が上から押されて図９に示すように回動すると、クランプ７００の押圧部７０５が図示しないスプリングの付勢力に抗してスライド部材１２０１の先端部１２０１ａに当接してスライド部材１２０１を右方へ移動させる。この移動により、集塵容器４１０のフック７２Ｆがスライド部材１２０１の筒部１２０３の開口１２０４の縁部１２０４ａから外れ、集塵容器４１０のロックが解除される。
（除塵機構）
この除塵機構２０００は、図３１に示すように、収納ケース８１の中央部に回動自在に設けた軸２００１と、この軸２００１に装着されるとともに上方に延びたアーム２００２と、このアーム２００２の上部（先端部）に設けられた除塵手段２１００とを備えている（図３２参照）。アーム２００２の下部には第３開閉弁Ｋ３が一体に設けられており、この第３開閉弁Ｋ３はアーム２００２および軸２００１とともに一体に回動していき、図３１に示す位置に回動されると収納ケース８１の接続開口（吸込風路）８４Ａを閉成する。
【００６５】
また、アーム２００２および第３開閉弁Ｋ３が鎖線位置まで反時計回りに回動すると収納ケース８１の接続開口８４Ａは開成される。
【００６６】
アーム２００２が図３１に示す位置に位置しているとき、アーム２００２の先端部の軸部２０１１が図３４に示すように第６開閉弁Ｋ６の当接片８７の傾斜面８７ａに当接して第６開閉弁Ｋ６を弾性部材８６の付勢力に抗して押圧し、第６開閉弁Ｋ６が図３３に示すように開成する。
【００６７】
除塵手段２１００は、図３２,図３５および図３６に示すように、アーム２００２の先端の軸心部２００２Ａに回動可能に設けた軸部２１０１と、この軸部２１０１から外方へ突出した一対の支持部２１０２と、この支持部２１０２の先端部に回動自在に設けたローラ２１０３と、軸部２１０１から外方へ突出した突起２１０４とを有している。一対の支持部２１０２は互いに所定角度をなして配置され、突起２１０４は所定角度を２等分する線上であって支持部２１０２と反対側に配置されている。
【００６８】
ローラ２１０３は図１８に示すように収納ケース８１の前壁部８４の溝８４Ｍの底面８４Ｍａに当接し、突起２１０４はプリーツフィルタ１０４の山部に当接するようになっている。溝８４Ｍは図２９および図３１に示すように円弧状に形成され、この溝８４Ｍの両端部でアーム２００２の回動規制をし、アーム２００２は溝８４Ｍの範囲内、すなわち図３１に示す実線位置と鎖線位置との範囲内で回動可能となっている。このアーム２００２の回動規制は、図示は省略したが例えば突部（ストッパ）を前壁部８４に形成しておくことで実行できる。
【００６９】
そして、突起２１０４は軸部２１０１とともに軸心２００２Ａを中心にして左右方向（図３５において）に回動可能となっており、スプリングＢＮ（図１８参照）の付勢力により突起２１０４は図３２および図３５に示す元の位置に戻るようになっている。
【００７０】
そして、プリーツフィルタ１０４が回転していくと、プリーツフィルタ１０４の山部に当接した突起２１０４は軸部２１０１とともに軸心２００２Ａを中心にして回動していく。プリーツフィルタ１０４が所定角度回転されると、突起２１０４はプリーツフィルタ１０４の山部を乗り越えてスプリングの付勢力により元の位置に戻る。このとき、突起２１０４が次のプリーツフィルタ１０４の山部を叩き、これによりプリーツフィルタ１０４に振動を与えてプリーツフィルタ１０４に付着している細塵を落とす。
【００７１】
収納ケース８１に設けた軸２００１は、図１８に示すように前壁部８４を貫通して前方に突出しており、この軸２００１の先端部には、第１開閉弁Ｋ１を開閉する開閉機構２２００のギア２２０１が設けられている。
（開閉機構）
この開閉機構２２００は、図１９および図２０に示すように、ギア２２０１に噛合したラック２２０２と、このラック２２０２を有するとともに左右方向に移動可能なスライド板２２０３と、このスライド板２２０３の一端（図１９において左端）から前方へ延びるとともに先端にピン２２０５を設けた支持部２２０４と、そのピン２２０５が係合した長孔２２０６を有し且つ第１開閉弁Ｋ１の軸２２０７から延びたアーム２２０８とを有している。
【００７２】
スライド板２２０３には長孔２２０３Ａが形成され、この長孔２２０３内に軸２００１が挿入されており、この長孔２２０３に沿って軸２００１が相対移動することによりスライド板２２０３の左右方向の移動に支障を来さないようになっている。
【００７３】
また、アーム２２０８の長孔２２０６に係合したピン２２０５はその長孔２２０６に沿って相対的に移動可能となっている。このため、スライド板２２０３が左右方向に移動することによってアーム２２０８が軸２２０７とともに回動し、この軸２２０７の回動により第１開閉弁Ｋ１が開成する。
【００７４】
例えば、スライド板２２０３が図１９および図２０に示す位置に位置しているとき、第１開閉弁Ｋ１は図２３に示すように案内風路体５７の接続開口５４Ａａを閉成する。このとき、第６開閉弁Ｋ６は図１９および図２０に示すように開成され、第３開閉弁Ｋ３は図３１に示すように収納ケース８１の接続開口８４Ａを閉成する。
【００７５】
また、スライド板２２０３が図１９および図２０に示す位置から右方向へ移動すると、第１開閉弁Ｋ１は図２３に示す鎖線位置へ移動し、接続開口５４Ａａは開成され、第６開閉弁Ｋ６は図１９および図２０に示すように閉成し、第３開閉弁Ｋ３は図３１の鎖線で示す位置に移動して収納ケース８１の接続開口８４Ａを開成する。
（制御装置）
図３７は電気掃除機の制御系の構成を示したブロック図である。図３７において、２００は操作部１３Ａの操作に基づいてモータＭ１,Ｍ２や電磁弁２５０２を制御する制御装置（制御手段）である。
【００７６】
また、この制御装置２００は、プリーツフィルタ１０４の除塵時に前記電動送風機２４の吸込風量が中レベルになるように、電動送風機２４の駆動電力を制御するようになっている。この駆動電力の制御は、電動送風機２４への入力の位相制御、即ちデューテイ比の制御で実行できる。
【００７７】
尚、制御装置２００は、強スイッチ１３ｂをＯＮさせると、デューテイ比を８０％以上に設定して電動送風機２４のパワー（吸込風量）を強レベルにするようになっている。また、制御装置２００は、弱／中切替スイッチ１３ｃを押してＯＮさせると、デューテイ比を２０〜３０％の範囲内に設定して電動送風機２４のパワー（吸込風量）を弱レベルにし、弱／中切替スイッチ１３ｃを再度押してＯＮさせると、デューテイ比を３０％〜８０％の範囲内に設定して電動送風機２４のパワー（吸込風量）を中レベルにするようになっている。
【００７８】
また、制御装置２００は、切りスイッチ１３ａをＯＮさせると、プリーツフィルタ１０４の除塵モードに入るようになっている。この除塵モードでは、先ず、モータＭ２や電磁弁２５０２が制御装置２００により後述するように制御されて、次に電動送風機２４を中レベルのパワー（吸込風量）で駆動されると共に、モータＭ１が駆動制御されるようになっている。
［動  作］
次に、上記のように構成される電気掃除機の動作について説明する。
【００７９】
先ず、図２に示すように、集塵ユニット５０を掃除機本体１１の集塵ユニット室２２に装着する。この集塵ユニット５０は後部に設けた収納ケース８１の後端部にシールリング８１ｅが設けられており、プリーツフィルタ体１００のフィルタ枠１００ａは図１３に示したように僅かにシールリング８１ｅより突出している。
【００８０】
従って、集塵ユニット５０を集塵ユニット室２２に装着する際に、収納ケース８１の後端が格子部材６００に設けた突起６０１の傾斜ガイド部６０１ｃ，６０１ｄや円形の頂部６０１ｅを押圧することになる。
【００８１】
そして、この押圧により突起６０１はヒンジ部６０１ｂを撓ませて後方（送風機室側）に移動させられて、収納ケース８１の後端が突起６０１を乗り越えることになる。このようにして収納ケース８１の後端が突起６０１を乗り越えると、突起６０１はヒンジ部６０１ｂの弾性力により原状に復帰して、復帰した突起６０１はプリーツフィルタ１０４のヒダ１０４ａ，１０４ａ間に入り込むことになる。これにより、円盤状の格子部材６００が支持軸６００ａを中心に回転すると、突起６０１がヒダ１０４ａに係合してプリーツフィルタ体１００を格子部材６００と一体に回転させることができる状態となる。
【００８２】
次に、図１に示すように集塵ホース１２を掃除機本体１１の接続口１１Ａに接続するとともに手元操作管１３に延長管１４を介して吸込口体１５を接続する。
【００８３】
このとき、図２１に示すように、第１開閉弁Ｋ１と第３開閉弁Ｋ３と第４開閉弁２８とが開成しており、第２開閉弁Ｋ２と第５開閉弁２５０２と第６開閉弁Ｋ６とが閉成されている。
【００８４】
すなわち、スライド板２２０３が図１９および図２０に示す位置から右方向へ移動されており、第１開閉弁Ｋ１は図２３に示す鎖線位置へ移動し、接続開口５４Ａａは開成され、第６開閉弁Ｋ６は図３０に示すように閉成し、第３開閉弁Ｋ３は図３１の鎖線で示す位置に移動して収納ケース８１の接続開口８４Ａを開成している。
【００８５】
手元操作管１３の操作部１３Ａのスイッチ１３ｂが操作されると、電動送風機２４が駆動される。この電動送風機２４の駆動により、電動送風機２４の吸込開口２４Ａから空気が吸い込まれて、図示しない接続風路部を介して集塵ユニット５０の収納ケース８１内に負圧が作用し、さらに吸引風路部５６を介して集塵ケース部７４内や塵埃分離部５２の分離室部５４に作用する。そして、その負圧が案内風路体５７を介して集塵ホース１２,延長管１４および吸込口体１５に作用し、吸込口体１５から空気とともに塵埃が吸引されていく。
【００８６】
この吸引された塵埃および空気が延長管１４および集塵ホース１２を介して集塵ユニット５０の吸込接続口５７Ａへ吸引されていく。この吸込接続口５７Ａへ吸引された塵埃および空気は案内風路体５７を通って塵埃分離部５２の分離室部５４内へ導入され、この分離室部５４内では図１０において反時計回りに回転していく。この空気の流れによって、第２開閉弁Ｋ２は開成していても強制的に閉成されることになる。
【００８７】
そして、この回転により塵埃と空気が慣性により分離され、空気が塵埃分離手段５５のネットフィルタＮＦ１（図１２参照）や開口１５４ＢのネットフィルタＮＦ２（図２４参照）を通り、さらに吸引風路部５６を通ってフィルタ部８０の収納ケース８１内へ吸引されていく。
【００８８】
他方、分離された塵埃は、慣性力によって分離室部５４の導入開口５３Ａから集塵容器４１０の連通ケース部７２内へ一部の空気とともに導入される。この導入された塵埃および空気は連通ケース部７２の連通路７１を通って集塵室部７３へ吸引されていき、塵埃は集塵室部７３に集塵されていく。
【００８９】
集塵室部７３へ吸引された空気は、ネットフィルタＮＦ３を通って吸引風路部５６に吸引され、さらにフィルタ部８０の収納ケース８１内へ吸引されていく。
【００９０】
収納ケース８１内へ吸引された空気は、プリーツフィルタ体１００のプリーツフィルタ１０４を通って掃除機本体１１の接続風路部２５内の吸込管２７（図２１参照）へ吸引され、さらに電動送風機２４の吸込開口２４Ａへ吸引されていく。
【００９１】
電動送風機２４の吸込開口２４Ａへ吸引された空気は電動送風機２４内を通って掃除機本体１１の排気口２０Ｈ（図２１参照）から排気されていく。
【００９２】
そして、掃除の終了後、集塵容器４１０に溜まった塵埃を捨てる場合、クランプ７００の操作部７０１を上から押圧する。この押圧により、クランプ７００は図示しないスプリングの付勢力に抗して図７に示す位置から軸部７０３を中心にして反時計回りに回動する。
【００９３】
クランプ７００が反時計回りに回動されると、図９に示すように、クランプ７００の係止爪７０７は蓋ケース５００の係合部材５１０の先端部５１１から外れ、蓋ケース５００のロックが解除される。このロックが解除されると、蓋ケース５００は捩りコイルバネ１８（図５参照）によって図１６の鎖線で示すように開成する。
【００９４】
他方、クランプ７００が図９に示すように回動すると、クランプ７００の押圧部７０５がスライド部材１２０１を右方へ移動させ、この移動により集塵容器４１０のフック７２Ｆがスライド部材１２０１の開口１２０４の縁部１２０４ａから外れ、集塵容器４１０のロックが解除される。そして、集塵容器４１０のリブ７２Ｒ,７４Ｒが図１５に示すようにガイドケース１１０１,１１１１のスプリング１１０２,１１１２の付勢力によって上方へ押し上げられる。すなわち、集塵容器４１０がスプリング１１０２,１１１２の付勢力によって図１７に示すようにポップアップされる。この後、使用者はポップアップされた集塵容器４１０を掃除機本体１１から取り出し、集塵ケース部７４の蓋部７４Ａを開いて集塵室７３内の塵埃を捨てる。
【００９５】
ところで、クランプ７００の押圧部７０５とスライド部材１２０１の先端部１２０１ａとの間に隙間があることにより、クランプ７００の操作部７０１を押圧すると、蓋ケース５００が開成した後に集塵ケース４１０のポップアップが行われる。
【００９６】
このように、クランプ７００の操作部７０１を押圧するだけで、蓋ケース５００は開成して集塵容器４１０がポップアップされるので、掃除機本体１１からの集塵容器４１０の取り外しは簡単なものとなる。
（プリーツフィルタ１０４の除塵モード）
また、制御装置２００は、手元操作管１３の操作部１３Ａの切スイッチ１３ａが操作されると除塵モードに入り、先ずモータＭ２を駆動制御して図２２に示すように第４開閉弁２８を閉成させ、第５開閉弁２５０２を開成させる。また、制御装置２００は、モータＭ１を駆動制御して、モータＭ１（図１４，図３７参照）によって格子部材６００を回転させる。
【００９７】
これにより、突起６０１がヒダ１０４ａに係合して、プリーツフィルタ体１００を格子部材６００と一体に回転させる。この際、突起６０１とスリット６００Ｂの側面との間には僅かな隙間しかないので、突起６０１はスリット６００Ｂの内側面に当接した状態で回転力を伝達することになり、ヒンジ部６０１ｂに回転時の無理な力が作用することはない。
【００９８】
そして、このプリーツフィルタ体１００が回転すると、除塵機構２０００のアーム２００２の突起２１０４がプリーツフィルタ１０４の山部に当接することにより、アーム２００２および軸２００１は図３１の鎖線位置から時計回りにプリーツフィルタ体１００とともに回転していく。
【００９９】
そして、アーム２００２が図３１に示す位置へ回動すると溝８４Ｍの端部で規制され、アーム２００２および軸２００１の回動は停止され、プリーツフィルタ体１００だけが回転していく。
【０１００】
アーム２００２が図３１に示す位置へ回動すると、第３開閉弁Ｋ３が収納ケース８１の接続開口８４Ａを閉成する。また、アーム２００２の軸部２０１１が第６開閉弁Ｋ６の当接片８７を押圧して第６開閉弁Ｋ６を開成する。すなわち、図３３に示すように収納ケース８１の外気導入口８４Ｆが開成される。
【０１０１】
他方、アーム２００２とともに軸２００１が回動されていくことにより、開閉機構２２００のギア２２０１が回動していき、このギア２２０１の回転によりスライド板２２０３が左方へ移動して図１９および図２０に示す位置へ移動する。このスライド板２２０３の移動により、図２３に示すように第１開閉弁Ｋ１が鎖線位置から実線位置へ移動して、案内風路体５７の接続開口５４Ａａを閉成する。
【０１０２】
このようにして、図２２に示すように第１,第２開閉弁Ｋ１,Ｋ３が閉成し、第６開閉弁Ｋ６が開成する。
【０１０３】
そして、制御装置２００は、電動送風機２４を中レベルのパワー（例えば、通常の清掃時の強レベルの略半分程度のパワー）で駆動制御する。この駆動により電動送風機２４は吸込負圧を発生させ、この吸込負圧がバイパス風路２５００（図２２参照），フィルタＰＦ，塵埃分離手段５５，戻し風路２５１１を介してフィルタ室８１ｃ内に作用する。この際、第６開閉弁Ｋ６が開成されていることにより、また蓋ケース５００が本体ケース２０に密閉して閉成されていないことにより、図２２に示すように収納ケース８１の外気導入口８４Ｆから外気がフィルタ室８１ｃ内に矢印Ｃ１で示したように導入される。
【０１０４】
尚、プリーツフィルタ１０４の除塵モードにおいては、フィルタ室８１ｃに作用する電動送風機２４の吸込負圧でプリーツフィルタ体１００が前側に変形させられて、プリーツフィルタ体１００のフィルタ枠１００ａが段差面８１ｄに接触させられるため、この接触によりプリーツフィルタ体１００が後述するように回転させられるときに、この接触による摩擦抵抗が回転抵抗となる。この回転抵抗は、格子部材６００の周囲の図示しないギヤとピニオン６００ｂとの噛合部や、モータＭ１に負荷となって作用する。
【０１０５】
この格子部材６００の周囲の図示しないギヤとピニオン６００ｂの噛合部に作用する負荷は、これらの歯が破損しないようにするために大きくなりすぎないのが望ましい。また、モータＭ１に作用する負荷も、小型のモータＭ１に過負荷とならないようにするのが望ましい。
【０１０６】
一方、例えば電動送風機２４を強レベルのパワーで駆動させたときと、電動送風機２４を中レベルのパワーで駆動させたときとでは、回転抵抗は強レベルの方が中レベルよりも遙かに大きくなる。
【０１０７】
従って、上述したようにプリーツフィルタ１０４の除塵モードにおいては、電動送風機２４を中レベルのパワーで駆動制御することにより、フィルタ枠１００ａと段差面８１ｄとの接触による回転抵抗が電動送風機２４を強レベルのパワーで駆動制御した場合に比べて大きくなりすぎないため、格子部材６００の周囲の図示しないギヤとピニオン６００ｂの噛合部に作用する負荷が大きくならず、これらの歯が破損しない。また、電動送風機２４を中レベルのパワーで駆動制御することにより、モータＭ１に作用する負荷も、小型のモータＭ１に過負荷とならない。
【０１０８】
また、電動送風機２４を弱レベルのパワーで駆動制御した場合には、フィルタ室８１ｃに作用する電動送風機２４の吸込負圧が小さくなり、この吸込負圧で外気導入口８４Ｆからフィルタ室８１ｃ内へ導入される外気（洗浄空気）の流速が小さくなり、プリーツフィルタ１０４に付着している塵埃を吹き飛ばす除塵効果が小さくなる。しかし、上述したように電動送風機２４を中レベルのパワーで駆動制御した場合には、フィルタ室８１ｃに作用する電動送風機２４の吸込負圧が小さくなりすぎず、この吸込負圧で外気導入口８４Ｆからフィルタ室８１ｃ内へ導入される外気（洗浄空気）の流速も除塵に必要な速度を弱レベルに比べて充分に確保でき、プリーツフィルタ１０４に付着している塵埃を吹き飛ばす除塵効果も弱レベルに比べて向上する。
【０１０９】
このようにプリーツフィルタ１０４の除塵モードにおいて、電動送風機２４を中レベルのパワーで駆動制御した場合には、プリーツフィルタ体１００の回転抵抗も大きくなりすぎず、電動送風機２４の吸込負圧により外気導入口８４Ｆからフィルタ室８１ｃ内へ導入される外気（洗浄空気）の流速もプリーツフィルタ１０４の除塵に必要な速度を確保できるので、格子部材６００の周囲の図示しないギヤとピニオン６００ｂの噛合部の歯が破損したり、モータＭ１への負荷が過負荷となるのを未然に防止できると共に、プリーツフィルタ１０４の充分な除塵を行うことができる。
【０１１０】
一方、アーム２００２の回転の停止により、アーム２００２の突起２１０４がプリーツフィルタ１０４の回転とともにプリーツフィルタ１０４の山部を乗り越えていき、この乗り越えるごとにアーム２００２の突起２１０４がプリーツフィルタ１０４の山部を叩いていき、プリーツフィルタ１０４に付着している塵埃を落としていく。
【０１１１】
この際、外気導入口８４Ｆから導入された外気は洗浄空気としてプリーツフィルタ１０４に当たるので、アーム２００２の突起２１０４がプリーツフィルタ１０４の山部を叩いて、プリーツフィルタ１０４に付着している塵埃を落とす際、プリーツフィルタ１０４から落ちないで浮いた状態でプリーツフィルタ１０４の表面に付着している塵埃を洗浄空気が吹き落とすので、プリーツフィルタ１０４は空気洗浄されることになる。
【０１１２】
しかも、第２開閉弁Ｋ２は図２５に示すように戻し風路２５１１を通る外気によって開成されるので、上述のようにして、突起２１０４又は洗浄空気によりプリーツフィルタ１０４から落とされた塵埃は、外気導入口８４Ｆから導入された外気によって戻し風路２５１１を通って塵埃分離部５２の分離室部５４に戻される。
【０１１３】
また、分離室部５４内にはネットフィルタＮＦ１及びバイパス風路２５００を介して電動送風機２４の吸込負圧が作用し、塵室部７３内にはネットフィルタＮＦ３及びバイパス風路２５００を介して電動送風機２４の吸込負圧が作用していて、分離室部５４と塵室部７３内は同一負圧となっている。従って、この分離室部５４へ導入された外気および塵埃は図１０において反時計回りに回転していき、この回転により塵埃と空気が慣性により分離され、このうち、分離された塵埃は慣性力によって分離室部５４の導入開口５３Ａから集塵容器４１０の連通ケース部７２を介して塵室部７３へ集塵されていく。
【０１１４】
また、塵埃と分離された空気は、バイパス風路２５００に近い塵埃分離手段５５のネットフィルタＮＦ１（図１２参照）や開口１５４ＢのネットフィルタＮＦ２（図２５参照）を通り、さらに吸引風路部５６へ吸引されていく。吸引風路部５６へ吸引された外気はフィルタＰＦ及びバイパス風路２５００を通って吸込管２７へ吸引され、さらに電動送風機２４の吸込開口２４Ａへ吸引され、掃除機本体１１の排気口２０Ｈから排気されていく。
【０１１５】
このように、プリーツフィルタ１０４から落とされた細塵は塵埃分離部５２の分離室部５４へ戻されるので、再度プリーツフィルタ１０４に付着してしまうことが防止される。
【０１１６】
そして、所定時間が経過すると、電動送風機２４の駆動が停止されるとともに格子部材６００が所定角度だけ逆回転され、図２１に示すように、第１開閉弁Ｋ１と第３開閉弁Ｋ３と第４開閉弁２８とが開成され、第２開閉弁Ｋ２と第５開閉弁２５０２と第６開閉弁Ｋ６とが閉成される。この実施例によれば、第２開閉弁Ｋ２が空気の流れで開閉するので、その構成を簡単にすることができる。
【０１１７】
また、集塵ユニット５０を集塵ユニット室２２から取り外す際に、収納ケース８１の後端が格子部材６００に設けた突起６０１の傾斜ガイド部６０１ｃ，６０１ｄや円形の頂部６０１ｅを押圧することになる。そして、この押圧により突起６０１はヒンジ部６０１ｂを撓ませて後方（送風機室側）に移動させられて、収納ケース８１の後端が突起６０１を乗り越えることになる。このようにして収納ケース８１の後端が突起６０１が乗り越えることにより、集塵ユニット５０を集塵ユニット室２２から取り外すことができる。
【０１１８】
尚、上述した実施例では、ヒンジ部６０１ｂを板部６００Ａと同じ厚さに図示したが、必ずしもこれに限定されるものではない。例えば、図１４Ｅに示したようにヒンジ部６０１ｂに凹部６０１ｂ１を形成することにより、ヒンジ部６０１ｂに薄肉部６０１ｂ２を形成して、より撓みやすくしてもよい。
【０１１９】
また、以上説明した実施例では、突起６０１の半径方向の端部に直線的な傾斜ガイド部６０１ｃ，６０１ｄ設けた構成とした例を示したが、必ずしもこれに限定されるものではない。例えば、図４Ｆに示したように、傾斜ガイド部６０１ｃ，６０１ｄを円弧状のガイド部６０１ｃ′，６０１ｄ′に形成しても良い。
【０１２０】
以上説明したように、この発明の実施の形態の電気掃除機は、メイン塵埃分離・捕集手段（塵埃分離部５２，集塵容器４１０等）に吸込負圧を作用させる電動送風機２４と、前記電動送風機２４を駆動制御する制御手段（制御装置２００）と、前記電動送風機２４の駆動電力を切替操作して前記電動送風機２４への吸込風量を切り替え操作する入力切替操作手段（操作部１３Ａ）を備えている。また、電気掃除機は、前記メイン塵埃分離・捕集手段と前記電動送風機の吸込開口との間に設けられた収納室（フィルタ室８１ａ）と、前記収納室（フィルタ室８１ａ）に設けられるとともにその中心線を中心に回転駆動可能に気密に嵌合された円形のフィルタ（プリーツフィルタ１０４）を有した濾過分離部（プリーツフィルタ体１００）と、前記濾過分離部（プリーツフィルタ体１００）を回転駆動する駆動手段（モータＭ１）と、前記フィルタ（プリーツフィルタ１０４）の直上流に大気を洗浄風として導入する洗浄風導入口（外気導入口８４Ｆ）を備えている。更に、電気掃除機は、通常掃除においては前記メイン塵埃分離・捕集手段（塵埃分離部５２，集塵容器４１０等）及び前記濾過分離部（プリーツフィルタ１０４）を通過して前記電動送風機２４に吸引される第１流路（図２１の矢印Ａ１〜Ａ３で流れを示す風路）を形成し、前記収納室（フィルタ室８１ａ）の空気洗浄においては前記洗浄風導入口（外気導入口８４Ｆ）より導入された空気を前記濾過分離部（プリーツフィルタ１０４）を通過することなく前記電動送風機２４に吸引される第２流路（戻り風路２５１１，バイパス風路２５００等を備える風路）を形成する気流制御手段（制御装置２００）とを備えている。しかも、前記制御手段（制御装置２００）は、前記塵埃濾過分離部（プリーツフィルタ１０４）の空気洗浄時に前記電動送風機２４の吸込風量が中レベルになるように前記駆動電力を制御する電気掃除機としたことを特徴とする。
【０１２１】
このように、本実施例によれば、除塵効率が低下しない回転速度でプリーツフィルタ１０４を回転させることができると共に、除塵時の洗浄空気によるプリーツフィルタ１０４の洗浄効率が低下するのを防止できる。
【０１２２】
なお、本実施例では、外気導入口８４Ｆから導入する外気を直接プリーツフィルタ１０４に吹き当てる構成としたが、これに限られるものではない。すなわち、空気洗浄の実施態様としては、上述のもののほかに、プリーツフィルタ１０４に直接吹き当てず、収納ケース８１内においてプリーツフィルタ１０４の前側の空間内に漂う塵埃や収納ケース８１の底部に溜まった塵埃を外気導入口８４Ｆから流入した空気によって底部開口８２Ａから収納ケース８１の外に排出するようなものも含むものである。そして、この際にも、空気洗浄する際の電動送風機２４の駆動制御の強さを上述の中レベル内の範囲内で適宜設定することで、プリーツフィルタ体１００の回転抵抗を大きくすることなく、塵埃を収納ケース８１から排出することができる。
また、本実施例では、除塵手段２１００を使用してプリーツフィルタ体１００の塵埃を除塵したが、除塵手段２１００を使用せずに外気導入口８４Ｆから導入する外気を直接プリーツフィルタ１０４に吹き当てる構成のみとしてもよい。
【０１２３】
さらに、「中レベル」とは必ずしも操作部１３Ａにおいて設定されているものに限られるものではない。例えば、操作部１３Ａのスイッチは「強」と「弱」や「強」と「自動」のみとし、空気洗浄の際に「強」に対して相対的に３０〜８０％の強さで電動送風機を制御するものを含むものである。
また、「中レベル」とは、「強レベル」に対する相対的な関係で設定されるものである。
【０１２４】
また、本実施例では、除塵子２１０４がプリーツフィルタ１０４の山部を乗り越えた後に、除塵子２１０４がこの山部を叩くことで除塵を行う構成としたが、これに限られるものではない。例えば、除塵子２１０４がプリーツフィルタ体１００の保持枠を叩くことで、プリーツフィルタ１０４にその振動が伝わるように構成し、この振動によりプリーツフィルタ１０４の除塵を行うようなものでもよい。
【０１２５】
さらに、本実施例では、除塵子２１０４がプリーツフィルタ１０４の山部に当接することでプリーツフィルタ体１００の回転動作をこの除塵子２１０４が設けられたアーム２００２に伝える構成としたが、これに限られるものではない。例えば、プリーツフィルタ体１００の保持枠に除塵子２１０４を当接させることにより、プリーツフィルタ体１００の回転をアーム２００２に伝えるものでもよい。
【０１２６】
また、本実施例では、プリーツフィルタ１０４は、放射状にプリーツを形成する構成としたが、これに限られるものではない。プリーツフィルタ体１００の回転をアーム２００２や第３開閉弁Ｋ３に伝達できるものであれば、プリーツの方向は放射状以外のもの、例えば単に一方向のみのものや多方向のものを除外するものではない。しかし、回転動作をアーム２００２に伝達することや除塵子２１０４により効率よく除塵を行うことを考えると、本実施例のように放射状のものが好ましい。
【０１２７】
また、以上説明したように、この発明の実施の形態の電気掃除機は、メイン塵埃分離・捕集手段（塵埃分離部５２，集塵容器４１０等）に吸込負圧を作用させる電動送風機２４と、前記電動送風機２４を駆動制御する制御手段（制御装置２００）と、前記電動送風機２４の駆動電力を切替操作して前記電動送風機への吸込風量を強レベルから弱レベルの間で切り替え操作する入力切替操作手段（操作部１３Ａ）と、前記メイン塵埃分離・捕集手段（塵埃分離部５２，集塵容器４１０等）と前記電動送風機２４の吸込開口２４Ａとの間に設けられた円形のフィルタ室８１ａと、前記フィルタ室８１ａにその中心線を中心に回転駆動可能に気密に嵌合された円形のプリーツフィルタ１０４と、前記プリーツフィルタ１０４を回転駆動する駆動手段（モータＭ１）と、前記プリーツフィルタ１０４の回転駆動時に前記プリーツフィルタ１０４のヒダに係合して弾くことにより前記プリーツフィルタ１０４に付着した細塵を除塵する除塵手段２１００を備えている。
【０１２８】
また、この電気掃除機は、空気がメイン塵埃分離・捕集手段（塵埃分離部５２，集塵容器４１０等），プリーツフィルタ１０４の順に透過して電動送風機２４の吸込開口２４Ａへ流れる吸込メイン風路（図２１の矢印Ａ１〜Ａ３で流れを示す風路）と、前記除塵手段２１００により落とされた細塵を空気と共に前記メイン塵埃分離・捕集手段（塵埃分離部５２，集塵容器４１０等）へ戻す細塵戻し風路（戻り風路２５１１）と、前記吸込メイン風路（図２１の矢印Ａ１〜Ａ３で流れを示す風路）に並設されて空気が前記メイン塵埃分離・捕集手段（塵埃分離部５２，集塵容器４１０等）から前記吸込開口２４Ａへバイパスフィルタ（フィルタＰＦ）を介して流れるバイパス風路２５００と、前記プリーツフィルタ１０４の直上流に大気を洗浄風として導入する洗浄風導入風路（外気導入口８４Ｆ）を備えている。
【０１２９】
しかも、この電気掃除機は、前記メイン塵埃分離・捕集手段（塵埃分離部５２，集塵容器４１０等）への吸込風路（吸込接続口５７Ａ）の開閉をする第１開閉弁Ｋ１と、前記細塵戻し風路（戻り風路２５１１）の開閉をさせる第２開閉弁Ｋ２と、前記メイン塵埃分離・捕集手段（塵埃分離部５２，集塵容器４１０等）と前記プリーツフィルタ１０４との間の吸込風路（接続開口８４Ａ）の開閉をさせる第３開閉弁Ｋ３と、前記プリーツフィルタ１０４と前記吸込開口２４Ａとの間の吸込流風路（開口２７Ａ）の開閉をさせる第４開閉弁２８と、前記バイパス風路２５００の開閉をさせる第５開閉弁２５０２と、前記洗浄風導入風路（外気導入口８４Ｆ）を開閉させる第６開閉弁Ｋ６とを備えている。
【０１３０】
その上、清掃時には前記第１，第３，第４開閉弁（Ｋ１，Ｋ３，Ｋ４）で前記各吸込風路（吸込接続口５７Ａ，接続開口８４Ａ，開口２７Ａ）をそれぞれ開かせ且つ前記第２，第５，第６開閉弁（Ｋ２，２５０２，Ｋ６）で前記細塵戻し風路（戻り風路２５１１），バイパス風路２５００及び洗浄風導入風路（外気導入口８４Ｆ）をそれぞれ閉じさせる一方、前記プリーツフィルタ１０４の除塵時には前記第１，第３，第４開閉弁（Ｋ１，Ｋ３，Ｋ４）で前記各吸込風路（吸込接続口５７Ａ，接続開口８４Ａ，開口２７Ａ）をそれぞれ閉じさせ且つ前記第２，第５，第６開閉弁（Ｋ２，２５０２，Ｋ６）で前記細塵戻し風路（戻り風路２５１１），バイパス風路２５００及び洗浄風導入風路（外気導入口８４Ｆ）をそれぞれ開かせるようになっている。
【０１３１】
しかも、前記制御手段（制御装置２００）は、前記プリーツフィルタ１０４の除塵時に前記電動送風機２４の吸込風量が中レベルになるように前記駆動電力を制御するようになっている。
【０１３２】
この構成によれば、除塵効率が低下しない回転速度でプリーツフィルタ１０４を回転させることができると共に、除塵時の洗浄空気によるプリーツフィルタ１０４の洗浄効率が低下するのを防止できる。
【図面の簡単な説明】
【０１３３】
【図１】この発明に係る電機掃除機の外観を示した斜視図である。
【図２】蓋ケースを外した図１の掃除機本体の外観を示した斜視図である。
【図３】図２に示す掃除機本体の平面図である。
【図４】集塵容器を外した図２の掃除機本体の一部を拡大した斜視図である。
【図５】掃除機本体の円筒車軸に装着した捩りコイルバネ１８を示した説明図である。
【図６】クランプの係止爪と蓋ケースの係合部材との係合関係を示した説明図である。
【図７】集塵容器のポップアップ機構を示した説明図である。
【図８】クランプを示した平面図である。
【図９】蓋ケースのロックの解除と集塵ケースのロックの解除とを示した説明図である。
【図１０】集塵ユニットの外観を示した斜視図である。
【図１１】集塵容器の外観を示した斜視図である。
【図１２】集塵ユニットの構成を示した横断面図である。
【図１３】塵埃分離部の外観を示した斜視図である。
【図１４】掃除機本体の横断面図である。
【図１４Ａ】図１４に示した係止突起の部分の概略斜視図である。
【図１４Ｂ】図１４Ａの平面図である。
【図１４Ｃ】図１４ＢのＢ１−Ｂ１線に沿う断面図である。
【図１４Ｄ】図１４ＢのＢ２−Ｂ２線に沿う断面図である。
【図１４Ｅ】図１４Ａの変形例を示す要部説明図である。
【図１４Ｆ】図１４Ａの他の変形例を示す要部説明図である。
【図１５】集塵容器がポップアップされた状態を示した説明図である。
【図１６】蓋ケースの開成を説明するための掃除機本体の側面図である。
【図１７】集塵容器がポップアップされた状態を示した説明図である。
【図１８】除塵手段と収納ケースの前壁部を示した説明図である。
【図１９】開閉機構の構成を示した斜視図である。
【図２０】開閉機構と塵埃分離部とを示した斜視図である。
【図２１】通常の掃除を行う際の風路を示した概念図である。
【図２２】空気洗浄を行う際の風路を示した概念図である。
【図２３】塵埃分離部の構成を示した水平断面図である。
【図２４】塵埃分離部と戻し風路管を示した説明図である。
【図２５】塵埃分離部と戻し風路管を示した作用説明図である。
【図２６】図２３の塵埃分離部と戻し風路管の外観を示した斜視図である。
【図２７】電気掃除機本体の構成を示した縦断面図である。
【図２８】図２７に示す収納ケースを示した斜視図である。
【図２９】図２８に示す収納ケースの背面図である。
【図３０】図２９に示す収納ケースを斜め正面側から見た斜視図である。
【図３１】収納ケースに装着されたアームと第３開閉弁を示した説明図である。
【図３２】アームと第３開閉弁を示した斜視図である。
【図３３】第６開閉弁が開成した集塵ユニットの外観を示した斜視図である。
【図３４】第６開閉弁と外気導入口とを示した説明図である。
【図３５】除塵手段の構成を示した横断面図である。
【図３６】図３５に示す除塵手段の縦断面図である。
【図３７】制御系の構成を示したブロック図である。
【符号の説明】
【０１３４】
２４・・・電動送風機
２４Ａ・・・吸込開口
２７Ａ・・・開口（吸込流風路）
２８・・・第４開閉弁
５２・・・塵埃分離部（メイン塵埃分離・捕集手段の一部）
５７Ａ・・・吸込接続口（吸込風路）
８４Ａ・・・接続開口（吸込風路）
８４Ｆ・・・外気導入口（洗浄風導入風路）
４１０・・・集塵容器（メイン塵埃分離・捕集手段の一部）
１０４・・・プリーツフィルタ
２００・・・制御装置（制御手段）
２１００・・・除塵手段
２５００・・・バイパス風路
２５０２・・・第５開閉弁
２５１１・・・戻り風路（細塵戻し風路）
Ｋ１・・・第１開閉弁
Ｋ２・・・第２開閉弁
Ｋ３・・・第３開閉弁
Ｋ６・・・第６開閉弁
ＰＦ・・・フィルタ（バイパスフィルタ）
【図１】
2008061900.tif 000003
【図２】
2008061900.tif 000004
【図３】
2008061900.tif 000005
【図４】
2008061900.tif 000006
【図５】
2008061900.tif 000007
【図６】
2008061900.tif 000008
【図７】
2008061900.tif 000009
【図８】
2008061900.tif 000010
【図９】
2008061900.tif 000011
【図１０】
2008061900.tif 000012
【図１１】
2008061900.tif 000013
【図１２】
2008061900.tif 000014
【図１３】
2008061900.tif 000015
【図１４】
2008061900.tif 000016
【図１４Ａ】
2008061900.tif 000017
【図１４Ｂ】
2008061900.tif 000018
【図１４Ｃ】
2008061900.tif 000019
【図１４Ｄ】
2008061900.tif 000020
【図１４Ｅ】
2008061900.tif 000021
【図１４Ｆ】
2008061900.tif 000022
【図１５】
2008061900.tif 000023
【図１６】
2008061900.tif 000024
【図１７】
2008061900.tif 000025
【図１８】
2008061900.tif 000026
【図１９】
2008061900.tif 000027
【図２０】
2008061900.tif 000028
【図２１】
2008061900.tif 000029
【図２２】
2008061900.tif 000030
【図２３】
2008061900.tif 000031
【図２４】
2008061900.tif 000032
【図２５】
2008061900.tif 000033
【図２６】
2008061900.tif 000034
【図２７】
2008061900.tif 000035
【図２８】
2008061900.tif 000036
【図２９】
2008061900.tif 000037
【図３０】
2008061900.tif 000038
【図３１】
2008061900.tif 000039
【図３２】
2008061900.tif 000040
【図３３】
2008061900.tif 000041
【図３４】
2008061900.tif 000042
【図３５】
2008061900.tif 000043
【図３６】
2008061900.tif 000044
【図３７】
2008061900.tif 000045